(57)【要約】【課題】  通常は手の届かない引込戸の収納部の内側を掃除できるようにして、メンテナンスを容易にし、長期的にスムーズな開閉を維持する。【解決手段】  スライドレール４３に沿って走行する戸体２が、壁の内部の戸袋状の収納部４４に引き込まれる引込戸１において、戸体２の下部に、引込み方向の手前側から奥側へと流れる通水経路３が設けられ、通水経路３の基端側には水栓に接続した通水管５が接続可能となされるとともに、先端側がスライドレール４３に面して開口されている。また、通水経路３には、引込み方向の手前側から奥側方向へ傾斜する水勾配が設けられている。【選択図】  図５
2006342611.tif 000002
【特許請求の範囲】
【請求項１】
スライドレールに沿って走行する戸体が、壁の内部または側部の戸袋状の収納部に引き込まれる引込戸において、
戸体の下部に、引込み方向の手前側から奥側へと流れる通水経路が設けられ、通水経路の基端側には水栓に接続した通水管が接続可能となされるとともに、先端側がスライドレールに面して開口されたことを特徴とする引込戸。
【請求項２】
通水経路には、引込み方向の手前側から奥側方向へ傾斜する水勾配が設けられていることを特徴とする請求項１に記載の引込戸。
【請求項３】
通水経路は戸体の奥側の見込面に開口して設けられたことを特徴とする請求項１または２に記載の建具。
【請求項４】
通水経路は戸体の手前側の見付面に開口して設けられたことを特徴とする請求項１〜３のいずれかに記載の建具。
【請求項５】
通水経路の先端側にはスライドレール上面を摺動する洗浄ノズルが接続されたことを特徴とする請求項１〜４のいずれかに記載の引込戸。
【請求項６】
戸体は四周に框が配設されており、戸体を収納部から引出して開口部を閉鎖したときに出会う引込口の側部と戸体の縦框とに、互いに係合して気密を保持する気密部材が高さ方向に配設されたことを特徴とする請求項１〜５のいずれかに記載の引込戸。
【発明の詳細な説明】
【技術分野】
【０００１】
本発明は、出入口に設けられて収納部に引込み可能な引込戸に関し、特に収納部の内側を容易に掃除しうる引込戸に関する。
【背景技術】
【０００２】
従来から、建物の出入口などに設けられている引戸のうち、開閉形式が引込み式の建具には、開口部の片側または両側に戸袋が設けられることで、その内側に引戸を引き込むことができるようになされている。このような引戸としては、例えば、特許文献１、２等に記載されているような構造が知られている。
【０００３】
この種の引戸は、鴨居と敷居に案内されるとともに敷居溝に戸車を走行させて戸体をスライドさせ、壁内部の収納部や側部の戸袋に戸体を引き込んで収納できるように構成されている。これにより、開口部全体を開放することができ、開放時に戸体が邪魔にならないという利点がある。
【特許文献１】特開平４−１４０１３３号公報
【特許文献２】特開平１０−１８４１７０号公報
【発明の開示】
【発明が解決しようとする課題】
【０００４】
上記のような戸袋を備えた引戸は、長期間使用するうちに戸袋内に埃やゴミがたまってしまうものである。しかし、収納部や戸袋は、戸体とほぼ同寸または戸体よりやや大きい程度の寸法で形成されているのが一般的であり、戸体を開口部から取り外しても内側には手が届きにくく、箒や掃除機などの掃除用具も入りにくいため、埃やゴミを取り除くことが難しい。また、敷居上にたまったゴミや埃は、戸体の開閉に伴って戸袋の奥へと押し込まれてしまったり、戸車に巻き付いて戸体を走行させにくくなったりして、開閉にも支障が出るおそれもあった。
【０００５】
そこで本発明は、上記のような問題点にかんがみてなされたものであり、通常は手の届かない引込戸の収納部の内側を掃除できるようにして、メンテナンスを容易にし、長期的にスムーズな開閉を維持することのできる引込戸を提供するものである。
【課題を解決するための手段】
【０００６】
上記した目的を達成するため、本発明は、スライドレールに沿って走行する戸体が、壁の内部または側部の戸袋状の収納部に引き込まれる引込戸において、戸体の下部に、引込み方向の手前側から奥側へと流れる通水経路が設けられ、通水経路の基端側には水栓に接続した通水管が接続可能となされるとともに、先端側がスライドレールに面して開口されたことを特徴としている。
【０００７】
この構成によれば、通水経路の基端側に通水管を接続することで、スライドレールに面した通水経路の先端側から水を流し、スライドレールにたまった塵埃を洗い流すことができる。これにより、手の届きにくい収納部の内側を容易に掃除することができ、良好な戸体の走行を維持することができるようになる。
【０００８】
また本発明は、上記構成の引込戸において、通水経路には、引込み方向の手前側から奥側方向へ傾斜する水勾配が設けられていることを特徴とする。通水経路に適切な水勾配が設けられることにより、よどむことなく通水できるので好ましい。
【０００９】
通水経路としては、戸体の奥側の見込面に開口して設けられていることが好ましく、収納部の奥まで洗浄することができる。
【００１０】
また、通水管の接続しやすさや、清掃時の戸体の引出しやすさを考慮すれば、通水経路は戸体の手前側の見付面に開口して設けられていてもよい。
【００１１】
また本発明は、上記構成の引込戸において、通水経路の先端側にはスライドレール上面を摺動する洗浄ノズルが接続されたことを特徴としている。これにより、引込戸の開閉動作に連動させて、スライドレール上に洗浄ノズルを動かすことができ、効率よく塵埃を洗い流すことができる。
【００１２】
さらに、本発明の引込戸は、戸体の四周に框が配設されており、戸体を収納部から引出して閉鎖したときに出会う引込口の側部と戸体の縦框とに、互いに係合して気密を保持する気密部材が高さ方向に配設されていることが好ましい。
【００１３】
この構成によると、戸体の内外で空気の流出入や、湿気の流入を防ぐことができ、屋外への出入口や浴室等への出入口にも好適に実施することができる。
【発明の効果】
【００１４】
上述のように構成される本発明の引込戸によれば、通常は手の届かない引込戸の収納部の内側を洗い流して塵埃を除去し、容易に掃除することができる。これにより、引込戸のメンテナンスが格段にしやすくなり、定期的に掃除を行うことが容易になるので、戸体のスムーズな開閉状態を維持することができる。
【００１５】
また、本発明の引込戸は、戸体を収納部から引出して閉鎖したときに出会う引込口の側部と戸体の縦框とに気密部材を配設したので、引込戸の内外で気密性を確保することができる。
【発明を実施するための最良の形態】
【００１６】
以下、本発明に係る引込戸を実施するための最良の形態について、図面を参照しつつ説明する。
【００１７】
図１〜図４は本発明に係る引込戸の一例を示し、図１は引込戸の正面図、図２は引込戸の横断面図、図３は引込戸の戸体下部を示す説明図、図４は戸体下部の見込面を示す側面図、図５は収納部の清掃時を示す戸体下部の説明図である。
【００１８】
例示の形態において、建物の外壁４には開口部４１が設けられ、この開口部４１に開口部枠４２が設置されている。引込戸１の戸体２は、この開口部枠４２の内側に建て込まれて開口部４１を開閉可能とするものである。
【００１９】
上下の開口部枠４２にはスライドレール４３が備えられており、このスライドレール４３に沿って戸体２が走行するように構成されている。戸体２はその四周に、上下框２１，２２および左右の縦框２３，２３がそれぞれ配設され、その内側に面材（ガラス）２４が嵌め込まれている。戸体２の手前側の縦框２３には開閉操作用の取手２３１が設けられている。下框２２には、戸体２をスライドレール４３に沿ってスムーズ開閉させる戸車２２１が備えられている。
【００２０】
また、開口部４１の側部の壁内部には収納部４４が形成されている。この収納部４４は、戸体２をスライドレール４３に沿って引込んでその全体を収納し、また引出すことができる大きさに形成されている。収納部４４の奥部には戸当り４５が配設されている。
【００２１】
かかる戸体２の下框２２には、引込み方向の手前側から奥側へ連通して内部に通水可能な通水経路３が設けられている。この通水経路３は、例えば樹脂製のホースやパイプ等を連通させて形成されている。また、通水経路３には、引込み方向の手前側から奥側方向へ傾斜する水勾配が設けられている。
【００２２】
例示の形態では、左右の縦框２３，２３の下部、および下框２２に連通して設けられたホース挿通空間２５が形成されており、この挿通空間２５内に可撓性を有する蛇腹状の通水ホース３１が通されて経路が確保されている。
【００２３】
この通水ホース３１は、戸体２の奥側の見込面に開口して配設され、見込面の外側に、先端部がスライドレール４３に面した洗浄ノズル３２が装着されている。例示の形態では、洗浄ノズル３２には先端部にブラシ３２２が備えられている。これによりブラシ３２２は、戸体２の走行に連動してスライドレール４３の上面を摺動するように構成されている。また、このブラシ３２２は、水圧により回転するような機構のものであってもよい。
【００２４】
また、通水ホース３１の基端側は、戸体２の縦框２３下部の見込面に開口するように配設されている。この通水ホース３１の基端側には、適宜の水栓に接続されたホース等の通水管５が接続される。見込面に形成された通水管５を接続する差込口３３には、開閉自在なシャッター３３１が内装されており、例示するような略円筒状の継手部材５１を差込口３３に差し込むことで差込口３３が開放されるように構成されている。そして、この継手部材５１に対して通水管５を水密状態に接続することにより、通水経路３に水を流すことができるようになっている。
【００２５】
また、このようにホース挿通空間２５に通す通水ホース３１を可撓性のあるものとすることで、戸体２に挿通空間２５を設けた後に通水ホース３１を挿し通しやすくし、通水経路３を形成しやすくすることができる。なお、通水ホース３１は例示のような蛇腹状のホースに限らず、直円筒状のホースやパイプ等が使用されてもよい。
【００２６】
かかる通水ホース３１の基端側は、戸体２の下部の見付面に開口して設けられていてもよい。より好ましくは、手前側の縦框２３に開口して設けられる。この場合、通水ホース３１の差込口３３に通水管５を接続しやすくなり、戸体２と開口部枠４２との間に通水管５が挟まることがないので、戸体２を完全に閉鎖した状態でも使用することができる。
【００２７】
さらに、引込み方向奥側の縦框２３には、戸体２を収納部４４から引出して開口部４１を閉鎖したときに出会う引込口４４１の側部との間に、互いに係合して気密を保持する気密部材２６が高さ方向に配設されている。図２に示すように、気密部材２６は、横断面が略Ｌ字状に形成されて、縦框２３の見付面に突設されている。また、引込口４４１の側部、すなわち例示の形態における室外側の開口部枠４２の内側面にも、横断面が略Ｌ字状の気密部材４２１が突設されている。
【００２８】
これらの気密部材２６，４２１は、戸体２を閉鎖したときに互いに係合して開口部４１を密閉することができる。これにより、戸体２の室内側と室外側とで空気の流出入や、湿気の流入を防ぐことができるようになされている。
【００２９】
このように引込戸１が構成されることで、差込口３３に継手部材５１を介して通水管５を接続し、通水経路３（通水ホース３１）内に水を流すことで、水勾配に従って戸体２の引込み方向の手前側から奥川へと通水できる。水は、通水経路３から洗浄ノズル３２へと流れ、収納部４４の内側に配設されているスライドレール４３上の塵埃を、洗い流して除去することができる。
【００３０】
そして、戸体２をスライドレール４３に沿って走行させながら通水するようにすれば、洗浄ノズル３２がスライドレール４３上を摺動して塵埃をこすり取り、洗浄ノズル３２の先端から出る水によって塵埃をくまなく流し去るので、通常は手の届かない収納部４４の奥部まで簡単に掃除することが可能になる。また、水に洗浄剤等を混ぜて通水すれば洗浄力が高まるので、洗浄剤で汚れを浮き上がらせた後、もう一度通水して水洗いすることで、収納部４４の内側をより一層きれいに掃除することができる。
【００３１】
なお、本発明の引込戸１における戸体２の開閉形式は、前記したような片引き式だけでなく、開口部の両側部に収納部が設けられた引き分け式であっても、好適に実施することができ、外部と接する壁面に設けられた開口部だけでなく、排水の容易な浴室等の出入口にも適用することができる。
【産業上の利用可能性】
【００３２】
この発明は、出入口を開閉する引戸で戸袋状の収納部に対して引込み及び引出し自在に収納される引込戸に好適であり、収納部の内側を容易に掃除するのに利用することができる。
【図面の簡単な説明】
【００３３】
【図１】本発明に係る引込戸の一例を示す正面図である。
【図２】前記引込戸の横断面図である。
【図３】前記引込戸の戸体下部の見付面を示す説明図である。
【図４】前記引込戸の戸体下部の見込面を示す側面図である。
【図５】前記引込戸において収納部の清掃時における戸体下部を示す説明図である。
【符号の説明】
【００３４】
１    引込戸
２    戸体
２１  上框
２２  下框
２３  縦框
２６  気密部材
３    通水経路
３１  通水ホース
３２  洗浄ノズル
３３  差込口
４    外壁面
４１  開口部
４２  開口部枠
４２１  気密部材
４３  スライドレール
４４  収納部
４４１  引込口
５    通水管
【図１】
2006342611.tif 000003
【図２】
2006342611.tif 000004
【図３】
2006342611.tif 000005
【図４】
2006342611.tif 000006
【図５】
2006342611.tif 000007